(57)【特許請求の範囲】
【請求項１】
設置されたときに下面となる側に開口部分を有する筐体と、
該筐体の前記開口部分に対応して矩形状となるように開口する吸込口を有し、前記筐体の下面側に取り付けられる化粧パネルとを備え、
前記化粧パネルは、前記吸込口の縁となる四辺の対向する二辺で構成する組のうち、いずれかの組において、各辺の中点となる位置よりも一方の頂点側に寄せ、前記化粧パネルの前記筐体への取り付け向きを規制する位置に、それぞれ相対するように取り付けられた仮掛けレバーを有し、
前記筐体は、前記開口部分の縁部分に、前記仮掛けレバーに対応した仮掛けフックを有することを特徴とする室内機。
【請求項２】
前記仮掛けレバーは、
前記仮掛けフックに引っ掛ける引掛け部と、
前記引掛け部を回動させるために指を添えることができる操作部と
を有することを特徴とする請求項１に記載の室内機。
【請求項３】
回動させた前記仮掛けレバーを係止させる突起部を前記吸込口の縁にさらに備えることを特徴とする請求項２に記載の室内機。
【請求項４】
前記化粧パネルに電気品箱が取り付けられた頂点側に前記仮掛けレバーを取り付けることを特徴とする請求項１〜３のいずれか一項に記載の室内機。
【請求項５】
前記仮掛けフックに仮掛けレバーを掛けた後、前記筐体と前記化粧パネルとをねじで固定することを特徴とする請求項１〜４のいずれか一項に記載の室内機。
【請求項６】
請求項１〜５のいずれか一項に記載の室内機と、室外機とを備え、
冷媒を圧縮して吐出する圧縮機と、熱交換により前記冷媒を凝縮させる凝縮器と、凝縮に係る冷媒を減圧させるための絞り装置と、減圧に係る冷媒と空気とを熱交換して前記冷媒を蒸発させる蒸発器とを配管接続して冷媒回路を構成することを特徴とする冷凍サイクル装置。
【発明の詳細な説明】
【技術分野】
【０００１】
この発明は、例えば空気調和装置等に用いられる冷凍サイクル装置の室内機等に係るものである。特に室内機の吸込口等に配置された化粧パネルの仮掛けに関するものである。
【背景技術】
【０００２】
例えば、従来の空気調和装置において、例えば四方向カセット形の室内機は、天井裏の空間に吊下げた室内機本体に対して、下面（室内に向いている面）を覆う化粧パネルを取り付ける構造となっている。室内機本体に化粧パネルを取り付ける際、例えば、室内機本体に設けたＬ字状の仮掛けフックに、化粧パネルの吸込口の縁部分に配置された２箇所の仮掛けレバーを引掛けることで、化粧パネルを仮掛け状態とする。その後、化粧パネルを室内機本体にねじ固定するものが提案されている（例えば、特許文献１、特許文献２参照）。
【先行技術文献】
【特許文献】
【０００３】
【特許文献１】実開昭６２−１１７４２８号公報（図５）
【特許文献２】特開２００８−７５９８５号公報（図５）
【発明の概要】
【発明が解決しようとする課題】
【０００４】
例えば、天井裏にある室内機本体に化粧パネルを取り付けるときに、化粧パネルを安定させて持ち上げるには、吸込口において、対向する二辺（対辺）の縁に親指を掛けて持つ場合が多い。しかしながら、例えば、化粧パネルの吸込口の同一辺又は隣接した二辺に仮掛けレバーがあると、室内機本体となる筐体に仮掛けするとき、吸込口の対辺を持つことができず、不安定な状態で化粧パネルを持ち上げることになってしまう。
【０００５】
そこで、本発明は、化粧パネルを簡単に仮掛けすることができる室内機等を提供することを目的とする。
【課題を解決するための手段】
【０００６】
本発明に係る室内機は、設置されたときに下面となる側に開口部分を有する筐体と、筐体の開口部分に対応して矩形状となるように開口する吸込口を有し、筐体の下面側に取り付けられる化粧パネルとを備え、化粧パネルは、吸込口の縁となる四辺の対向する二辺で構成する組のうち、いずれかの組において、各辺の中点となる位置よりも一方の頂点側に寄せ、化粧パネルの筐体への取り付け向きを規制する位置に、それぞれ相対するように取り付けられた仮掛けレバーを有し、筐体は、開口部分の縁部分に、仮掛けレバーに対応した仮掛けフックを有するものである。
【発明の効果】
【０００７】
本発明の室内機によれば、筐体が有する仮掛けフックに引っ掛けて化粧パネルを仮掛けする仮掛けレバーを、化粧パネルの吸込口の縁となる対向する二辺における各辺の中点となる位置よりも一方の頂点側に寄せた位置に、それぞれ相対するように取り付けるようにしたので、設置を行う作業者が、化粧パネル吸込口の縁部分に指を入れ、仮掛けレバーを指で押さえながら持つことができ、安定した状態で、化粧パネルを筐体に仮掛けすることができる。このとき、作業者が仮掛けレバーを持つ位置が、頭部よりも前になるため、仮掛け時に仮掛けレバーを目視しやすくすることができる。
【図面の簡単な説明】
【０００８】
【図１】本発明の実施の形態１に係る空気調和装置の室内機の分解斜視図である。
【図２】本発明の実施の形態１に係る室内機において、吸込口側面７に配置された仮掛けレバー８の仮掛け前の状態を示す拡大図である。
【図３】本発明の実施の形態１に係る化粧パネル３を筐体２に仮掛けした状態を示す図である。
【図４】本発明の実施の形態１に係る仮掛けレバー８及び仮掛けフック９の拡大図である。
【図５】本発明の実施の形態１に係る化粧パネル３を筐体２に仮掛けした状態の室内機の正面図である。
【図６】本発明の実施の形態２に係る昇降電気品箱１１を化粧パネル３に取り付けた状態を示す斜視図である。
【図７】本発明の実施の形態３に係る冷凍サイクル装置の構成例を表す図である。
【発明を実施するための形態】
【０００９】
実施の形態１．
図１は本発明の実施の形態１に係る空気調和装置の室内機の分解斜視図である。ここで、図１における上方側（鉛直方向）を上側とし、下方側を下側として説明する。本実施の形態における空気調和装置の室内機は、冷媒配管により室外機と接続し、冷媒を循環して冷凍、空気調和等を行う冷媒回路を構成する。また、本実施の形態の室内機は、天井埋め込み型の室内機であるとし、その例として四方向カセット形の室内機について説明する。
【００１０】
図１に示すように、室内機は室内空間１に設置されるものである。このとき、室内送風機、室内熱交換器等（図示せず）を収容する室内機本体を構成する筐体（キャビネット）２は、室内空間の天井凹部に埋め込まれる。筐体２は、室内送風機が駆動したときに空気を整流するためのベルマウス５を有している。また、本実施の形態の筐体２は、ベルマウス５よりも外側部分に、後述する化粧パネル３が有する仮掛けレバー８を引っ掛けて、化粧パネル３を仮掛けするための仮掛けフック９を有している。仮掛けフック９は、後述するように、仮掛けレバー８に合わせた位置に形成される。
【００１１】
化粧パネル３は、筐体２を覆い隠すように、室内側に面するように筐体２下部に取り付けられる。化粧パネル３の中央部分は、略矩形状（正方形状）に（矩形状となるように）開口している。この開口部は、室内送風機が駆動したときに室内の空気を吸い込む吸込口となる吸込口空間６となる。また、開口部を囲む（吸込口空間６を仕切る）四辺の縁は吸込口側面７となる。吸込みグリル４は吸込口空間６を覆う。そして、室内送風機が駆動したときに室内熱交換器を通過した空気を室内に吹き出す吹出口が各吸込口側面７に沿って設けられている。
【００１２】
本実施の形態では、吸込口側面７となる四辺の縁部分のうち、ある一辺とその辺に対向するもう１つの辺の組において、その吸込口側面７に、吸込口空間６に迫出すように仮掛けレバー８が１つずつ取り付けられる。ここで、仮掛けレバー８は、吸込口側面７の中央部分（辺の中点となる位置）に取り付けるのではなく、矩形の頂点側寄りに、少しずらした位置に取り付けるようにする。また、各仮掛けレバー８は、対向する二辺において、相対する位置（対向する二辺に平行で吸込口空間６の中心を通る線に線対称となる位置（鏡像関係にある位置））に取り付けられる。仮掛けレバー８の取り付け位置を中央からずらした位置にすることにより、化粧パネル３を筐体２に仮掛けしようと持ち上げたときに、仮掛けレバー８及び仮掛けフック９を目視しやすく、仮掛けしやすくなる。
【００１３】
図２は本発明の実施の形態１に係る室内機において、吸込口側面７に配置された仮掛けレバー８の仮掛け前の状態を示す拡大図である。図２に示すように、仮掛けレバー８は例えば鉄線で構成している。仮掛けレバー８は、鉄線を加工することにより、引掛け部８ａ、回転軸部８ｂ及び８ｃ並びに操作部８ｄを有している。引掛け部８ａは、筐体２が有する仮掛けフック９に引っ掛けられるようにする空間を有している。本実施の形態では、引掛け部８ａは略コの字状になるように形成される。回転軸部８ｂ及び８ｃは、鉄線が有する弾性を利用して、吸込口側面７に形成された軸受け部穴７ａ及び７ｂに差し込まれる。回転軸部８ｂ及び８ｃは仮掛けレバー８が回動する際の回転軸となる。ここで、仮掛けレバー８が回動させることができれば、この構成に限定するものではない。操作部８ｄは、２本の鉄線で構成され、例えば人が化粧パネル３を持ち上げて、仮掛けレバー８を回動操作させるときに指（親指）を添える部分である。
【００１４】
図３は本発明の実施の形態１に係る化粧パネル３を筐体２に仮掛けした状態を示す図である。図３に示すように、化粧パネル３の四隅には、化粧パネル３をねじで据え付けて固定する据付ねじ部１０を有している。
【００１５】
図４は本発明の実施の形態１に係る仮掛けレバー８及び仮掛けフック９の拡大図である。仮掛け前に吸込口空間６に迫出していた仮掛けレバー８を、人が指で操作部８ｄに力を加えることで、図４に示すように、回動させる間に引掛け部８ａを仮掛けフック９に引っ掛ける。このとき、鉄線の弾性を利用して、吸込口側面７の突起部７ｃを乗り越えさせておくことで、突起部７ｃにより再度吸込口空間６側に回動しないようにする。化粧パネル３を筐体２に仮掛けした後、化粧パネル３の四隅の据付ねじ部１０を介して筐体２にねじで締結する。
【００１６】
図５は本発明の実施の形態１に係る化粧パネル３を筐体２に仮掛けした状態の室内機の正面図である。前述したように、仮掛けレバー８及び仮掛けフック９は、化粧パネル３の吸込口側面７の中央部分よりもずれた位置に配置されている。例えば、筐体２に化粧パネル３を取り付ける際、１８０°間違えて化粧パネル３を持ったとしても、仮掛けレバー８と仮掛けフック９との位置が合わず、仮掛けすることができないため、取り付けを間違えることがない。
【００１７】
以上のように、実施の形態１の空気調和装置の室内機によれば、筐体２が有する仮掛けフック９に、引掛け部８ａを引っ掛けて化粧パネル３を仮掛けする仮掛けレバー８を、化粧パネル３に形成した吸込口の縁となる吸込口側面７の対向する二辺における各辺の中点よりも一方の頂点側に寄せた位置に、それぞれ相対するように取り付けるようにしたので、例えば作業者が、仮掛けレバー８を親指で押さえながら吸込口の縁部分を持つことができ、安定した状態で、化粧パネル３を筐体２に仮掛けすることができる。このとき、作業者が仮掛けレバー８を持つ位置が、頭部よりも前の位置にすることができるので、仮掛け時に仮掛けレバー８を目視しやすくすることができる。また、例えば四方向カセット形のように正方形状の化粧パネル３であっても、例えば１８０°回転させた方向に取り付ける等せず、設置方向を誤ることなく、取り付けることができる。このため、化粧パネル３と筐体とのねじによる締結を簡単に行うことができる。
【００１８】
さらに、本実施の形態の室内機においては、鉄線によって、引掛け部８ａ、回転軸部８ｂ及び８ｃ並びに操作部８ｄを有するように加工した仮掛けレバー８について、作業者が、吸込口空間６に迫り出した仮掛けレバー８を、操作部８ｄを親指等で押し上げて仮掛けレバー８を回動させ、引掛け部８ａが筐体２の仮掛けフック９に引っ掛かるようにしたので、簡単に仮掛けを行うことができる。ここで、仮掛けレバー８を回動させたときに、仮掛けレバー８の操作部８ｄを突起部７ｃを乗り越えさせておくことで、仮掛けレバー８を上向きに固定させておくことができ、仮掛けを容易にすることができる。
【００１９】
実施の形態２．
図６は本発明の実施の形態２に係る昇降電気品箱１１を化粧パネル３に取り付けた状態を示す斜視図である。図６において、昇降電気品箱１１は、室内機が有する送風機等を駆動させる駆動回路等の電気品（図示せず）が収容されている箱（筐体）である。例えば、吸込みグリル４を外し、昇降電気品箱１１を回動させることにより、電気品を箱ごと昇降させることができる。
【００２０】
上述した実施の形態１においては、仮掛けレバー８を辺の中央部分から頂点側にずらした位置に取り付けることについて説明したが、ずらす方向については特に規定しなかった。例えば、通常は吸込口のおよそ中央となっている重心が化粧パネル３に昇降電気品箱１１を取り付けると前に移動する。
【００２１】
そこで、本実施の形態では、昇降電気品箱１１が設置される方にずらすようにする。昇降電気品箱１１が設置された部分が作業者よりも前側に位置することで、昇降電気品箱１１が設置された化粧パネル３を持ち上げたときでも安定して持ち上げることができる。
【００２２】
例えば、ある吸込口側面７に、昇降電気品箱１１を取り付けると、化粧パネル３の重心位置が中央から昇降電気品箱１１を取り付けた側に偏る。しかし、仮掛けレバー８が吸込口空間６の中央より昇降電気品箱１１側に配置されていると、持ち上げて仮掛けレバー８、筐体２の仮掛けフック９に引っ掛けても化粧パネル３のバランスを保つように仮掛けを行うことができる。
【００２３】
実施の形態３．
図７は本発明の実施の形態３に係る冷凍サイクル装置の構成例を表す図である。ここで、図７では冷凍サイクル装置として空気調和装置を示している。図７の空気調和装置は、室外機（室外ユニット）３００と、実施の形態１及び実施の形態２において説明した室内機（室内ユニット）２００とをガス冷媒配管４００、液冷媒配管５００により配管接続する。室外機３００は、圧縮機３１１、四方弁３１２、室外熱交換器３１３及び膨張弁３１４を有している。
【００２４】
圧縮機３１１は、吸入した冷媒を圧縮して吐出する。ここで、特に限定するものではないが、圧縮機３１１はたとえばインバータ回路等により、運転周波数を任意に変化させることにより、圧縮機３１１の容量（単位時間あたりの冷媒を送り出す量）を変化させることができるようにしてもよい。四方弁３１２は、たとえば冷房運転時と暖房運転時とによって冷媒の流れを切り換えるための弁である。
【００２５】
室外熱交換器３１３は、冷媒と空気（室外の空気）との熱交換を行う。たとえば、暖房運転時においては蒸発器として機能し、冷媒を蒸発させ、気化させる。また、冷房運転時においては凝縮器として機能し、冷媒を凝縮して液化させる。
【００２６】
絞り装置（流量制御手段）等の膨張弁３１４は冷媒を減圧して膨張させるものである。たとえば電子式膨張弁等で構成した場合には、制御手段（図示せず）等の指示に基づいて開度調整を行う。
【００２７】
室内機２００が有する室内熱交換器２１１は、例えば室内空間１の空気と冷媒との熱交換を行う。暖房運転時においては凝縮器として機能し、冷媒を凝縮して液化させる。また、冷房運転時においては蒸発器として機能し、冷媒を蒸発させ、気化させる。
【００２８】
最初に、冷凍サイクル装置における冷房運転について冷媒の流れに基づいて説明する。冷房運転においては、実線で示す接続関係となるように四方弁３１２を切り替える。圧縮機３１１により圧縮されて吐出した高温、高圧のガス冷媒は、四方弁３１２を通過し、室外熱交換器３１３に流入する。そして、室外熱交換器３１３内を通過して、室外の空気と熱交換することで凝縮、液化した冷媒（液冷媒）は、膨張弁３１４へ流入する。膨張弁３１４で減圧されて気液二相状態となった冷媒は室外機３００から流出する。
【００２９】
室外機３００を流出した気液二相冷媒は、液冷媒配管５００を通過して室内機２００に流入し、室内熱交換器２１１を通過する。そして、例えば室内空間１の空気と熱交換することで蒸発、ガス化した冷媒（ガス冷媒）は、室内機２００から流出する。
【００３０】
室内機２００から流出したガス冷媒はガス冷媒配管４００を通過して室外機３００に流入する。そして、四方弁３１２を通過して再度圧縮機３１１に吸入される。以上のようにして空気調和装置の冷媒が循環し、空気調和（冷房）を行う。
【００３１】
次に暖房運転について冷媒の流れに基づいて説明する。暖房運転においては、点線で示す接続関係となるように四方弁３１２を切り替える。圧縮機３１１により圧縮されて吐出した高温、高圧のガス冷媒は、四方弁３１２を通過して室外機３００から流出する。室外機３００を流出したガス冷媒は、ガス冷媒配管４００を通過して室内機２００に流入する。そして、室内熱交換器２１１を通過中に、例えば室内空間１の空気と熱交換することで凝縮、液化した冷媒は室内機２００から流出する。
【００３２】
室内機２００から流出した冷媒は液冷媒配管５００を通過して室外機３００に流入する。そして、膨張弁３１４で減圧されて気液二相状態となった冷媒は室外熱交換器３１３に流入する。そして、室外熱交換器３１３内を通過して、室外の空気と熱交換することで蒸発、ガス化した冷媒（液冷媒）は、四方弁３１２を通過して再度圧縮機３１１に吸入される。以上のようにして空気調和装置の冷媒が循環し、空気調和（暖房）を行う。
【００３３】
以上のように、実施の形態３の空気調和装置（冷凍サイクル装置）においては、実施の形態１、２で説明した室内機２００を用いて構成することで、実施の形態１、２と同様の効果を奏する。
【産業上の利用可能性】
【００３４】
上述した実施の形態では、四方向に空気を吹き出す四方向カセット形となる天井埋め込み式の室内機について説明したが、例えば、二方向、三方向等に空気を吹き出す室内機についても適用することができる。
【００３５】
また、上述した実施の形態では、冷凍サイクル装置の例として、空気調和装置について説明したが、例えば、他の冷凍サイクル装置である冷凍装置等にも適用することができる。また、冷凍サイクル装置でなくとも、例えば換気装置等にも適用することができる。
【符号の説明】
【００３６】
１  室内空間、２  筐体、３  化粧パネル、４  吸込みグリル、５  ベルマウス、６  吸込口空間、７  吸込口側面、７ａ，７ｂ  軸受け部穴、７ｃ  突起部、８  仮掛けレバー、８ａ  引掛け部、８ｂ，８ｃ  回転軸部、８ｄ  操作部、９  仮掛けフック、１０  据付ねじ部、１１  昇降電気品箱、２００  室内機、２１１  室内熱交換器、３００  室外機、３１１  圧縮機、３１２  四方弁、３１３  室外熱交換器、３１４  膨張弁、４００  ガス冷媒配管、５００  液冷媒配管。
【図１】
0005972228.tif 000002
【図２】
0005972228.tif 000003
【図３】
0005972228.tif 000004
【図４】
0005972228.tif 000005
【図５】
0005972228.tif 000006
【図６】
0005972228.tif 000007
【図７】
0005972228.tif 000008